(57)【要約】【課題】小型化が可能な構造を有するレンズ鏡筒を提供する。【解決手段】レンズ鏡筒１０であって、レンズ３０ｄ及び３０ｅと、レンズ３０ｄ及び３０ｅの像面側に配置され、レンズ３０ｄ及び３０ｅよりも外径が小さなレンズ３０ｆと、レンズ３０ｄ及び３０ｅを保持する第一保持枠４１、及び、レンズ３０ｆを保持する第二保持枠４２を有するレンズ保持枠４０と、レンズ３０ｆの像面側に配置された像ぶれ補正レンズであるレンズ３０ｇを、光軸Ａに垂直な方向に移動自在に保持する可動枠５０と、レンズ保持枠４０の、可動枠５０に取り付けられたマグネット７０ａに対向する位置に配置された磁気センサ６０と、レンズ保持枠４０の、磁気センサ６０を挟んでマグネット７０ａの反対側に配置されたヨーク７５ａであって、光軸Ａの方向から見た場合に、少なくとも一部が第一保持枠４１に重複する位置に配置されたヨーク７５ａとを備える。【選択図】図２
2018066915.tif 000002
【特許請求の範囲】
【請求項１】
レンズ鏡筒であって、
第一レンズと、
前記第一レンズの像面側に配置され、前記第一レンズよりも外径が小さな第二レンズと、
前記第一レンズを保持する第一保持枠、及び、前記第二レンズを保持する第二保持枠を有するレンズ保持枠と、
前記第二レンズの像面側に配置された像ぶれ補正レンズを、光軸に垂直な方向に移動自在に保持する可動枠と、
前記レンズ保持枠の、前記可動枠に取り付けられたマグネットに対向する位置に配置された磁気センサと、
前記レンズ保持枠の、前記磁気センサを挟んで前記マグネットの反対側に配置されたヨークであって、前記光軸の方向から見た場合に、少なくとも一部が前記第一保持枠に重複する位置に配置されたヨークと
を備えるレンズ鏡筒。
【請求項２】
前記ヨークは、前記光軸の方向から見た場合に、前記少なくとも一部が、前記第一レンズと重複する位置に配置されている
請求項１記載のレンズ鏡筒。
【請求項３】
前記磁気センサは、前記第二保持枠から外径方向に延設された外延部の像面側に固定されており、
前記ヨークは、前記外延部の被写体側に形成されたヨーク収容空間であって、前記光軸の方向から見た場合に、少なくとも一部が前記第一保持枠に重複するヨーク収容空間の内部に配置されている
請求項１または２記載のレンズ鏡筒。
【請求項４】
前記レンズ保持枠はさらに、前記第一保持枠及び前記第二保持枠の外周を覆うように配置された壁部の、前記ヨークの側方の位置に設けられた、前記ヨークの挿通が可能な大きさの開口部を有する
請求項１〜３のいずれか１項に記載のレンズ鏡筒。
【発明の詳細な説明】
【技術分野】
【０００１】
本開示は、撮像装置に用いられるレンズ鏡筒に関する。
【背景技術】
【０００２】
特許文献１には、撮像光学系の一部を構成する補正レンズを可動枠によって回転揺動可能に保持し、像ぶれを補正するための回転揺動目標値に応じて、補正レンズを光軸に対して回転揺動させる像ぶれ補正装置が開示されている。この像ぶれ補正装置では、磁石部材と対向して配置された扁平コイルによって補正レンズの動きが駆動される。
【先行技術文献】
【特許文献】
【０００３】
【特許文献１】特開２００９−２５４８１号公報
【発明の概要】
【発明が解決しようとする課題】
【０００４】
本開示は、小型化が可能な構造を有するレンズ鏡筒を提供する。
【課題を解決するための手段】
【０００５】
本開示の一態様におけるレンズ鏡筒は、第一レンズと、前記第一レンズの像面側に配置され、前記第一レンズよりも外径が小さな第二レンズと、前記第一レンズを保持する第一保持枠、及び、前記第二レンズを保持する第二保持枠を有するレンズ保持枠と、前記第二レンズの像面側に配置された像ぶれ補正レンズを、光軸に垂直な方向に移動自在に保持する可動枠と、前記レンズ保持枠の、前記可動枠に取り付けられたマグネットに対向する位置に配置された磁気センサと、前記レンズ保持枠の、前記磁気センサを挟んで前記マグネットの反対側に配置されたヨークであって、前記光軸の方向から見た場合に、少なくとも一部が前記第一保持枠に重複する位置に配置されたヨークとを備える。
【発明の効果】
【０００６】
本開示におけるレンズ鏡筒によれば、小型化が可能となる。
【図面の簡単な説明】
【０００７】
【図１】実施の形態に係るレンズ鏡筒の構成概要を示す断面図である。
【図２】実施の形態に係るレンズ保持枠及び像ぶれ補正ユニットの構成概要を示す部分断面図である。
【図３】実施の形態に係る像ぶれ補正ユニットにおけるヨーク等の構成要素の配置例を示す平面図である。
【図４】実施の形態に係るレンズ保持枠の外観を示す斜視図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
（実施の形態）
［１．レンズ鏡筒の構成概要］
以下、図面を参照しつつ、実施の形態１に係るレンズ鏡筒の構成を説明する。図１は、実施の形態に係るレンズ鏡筒１０の構成概要を示す断面図である。
【００１１】
図１に示すレンズ鏡筒１０は、コンパクトデジタルカメラ等の撮像装置に備えられる光学装置である。具体的には、レンズ鏡筒１０は、撮像時に繰り出されてズーミングを行い、非撮像時には収納されるいわゆる沈胴式のレンズ鏡筒である。
【００１２】
レンズ鏡筒１０は、図１に示すように、基礎筒２１、第一筒２２及び第二筒２３と、これら筒体の内方に収容された複数のレンズ３０ａ〜３０ｈ及び３０ｋと、撮像素子９０とを備える。撮像素子９０は、例えばＣＣＤ（Ｃｈａｒｇｅ  Ｃｏｕｐｌｅｄ  Ｄｅｖｉｃｅ）イメージセンサである。
【００１３】
基礎筒２１は、撮像装置の本体（例えばカメラ本体、図示せず）に取り付けられた筒体であり、第一筒２２及び第二筒２３は、基礎筒２１に対して、レンズ鏡筒１０の光軸（図１において一点鎖線で表されている光軸Ａ）の方向に移動可能な筒体である。
【００１４】
具体的には、レンズ鏡筒１０の内部には、カム枠１５が備えられており、カム枠１５は、図示しないモータの駆動力によって光軸Ａ周りに回動し、かつ、回動することにより光軸Ａの方向に移動する。第一筒２２等の各要素は、カム枠１５が有するカム溝に、当該要素が有するカムピンが係合していることで、カム枠１５の回動及び移動に伴って、光軸Ａの方向に移動する。これにより、レンズ鏡筒１０の光軸Ａの方向の全長が伸縮する。つまり、レンズ鏡筒１０は、ズーム動作及び沈胴動作を行う。
【００１５】
なお、図１に示すように、レンズ３０ａ、３０ｂ、３０ｃのそれぞれは、互いに独立して移動可能な保持枠に保持されており、カム枠１５の回動及び移動に伴って、互いに独立して移動する。
【００１６】
また、レンズ３０ｄ、３０ｅ、及び３０ｆは、本実施の形態において、１つのレンズ保持枠４０に保持されている。レンズ保持枠４０は、カム枠１５の回動及び移動に伴って光軸Ａの方向に移動する。これにより、レンズ３０ｄ、３０ｅ、及び３０ｆは同期して光軸Ａの方向に移動する。また、レンズ保持枠４０の一部は、像ぶれ補正ユニット３８を構成しており、像ぶれ補正ユニット３８は、レンズ保持枠４０の光軸Ａの方向の移動に伴って光軸Ａの方向の移動に移動する。従って、像ぶれ補正ユニット３８が有する像ぶれ補正レンズ（本実施の形態ではレンズ３０ｇ）も、レンズ３０ｄ、３０ｅ、及び３０ｆと同期して光軸Ａの方向に移動する。像ぶれ補正ユニット３８の構成については、図２〜図４を用いて後述する。
【００１７】
なお、上記のように、レンズ保持枠４０の一部を、像ぶれ補正ユニット３８の一部として利用することで、例えば、レンズ保持枠４０及び像ぶれ補正ユニット３８を合わせた部分の、光軸Ａの方向における小型化が図られる。
【００１８】
レンズ保持枠４０の被写体側（レンズ鏡筒１０を用いて撮像される被写体が存在する側であり、図１における左側）には、シャッターユニット８０が配置されている。シャッターユニット８０は、撮像素子９０の露光量及び露光時間を制御するための、絞り羽根及びシャッター羽根等を有している。絞り羽根及びシャッター羽根の動作はシャッターユニット８０が有する駆動部８５によって駆動される。
【００１９】
像ぶれ補正ユニット３８の像面側（撮像素子９０が配置されている側であり、図１における右側）には、レンズ鏡筒１０のズーム動作に伴う像面変動の補正及び合焦のために光軸Ａの方向に移動するレンズ３０ｈが配置されている。レンズ３０ｈは、図示しないモータの駆動力によって光軸Ａの方向に移動する。レンズ３０ｇの像面側には、例えば収差を補正するためのレンズ３０ｋが配置されている。レンズ３０ａ〜３０ｈ及びレンズ３０ｋを通過した光は撮像素子９０上で結像し、結像により形成される画像のデータが撮像素子９０から得られる。
【００２０】
［２．レンズ保持枠及び像ぶれ補正ユニットの構成及び動作］
次に、上記構成を有するレンズ鏡筒１０に備えられるレンズ保持枠４０及び像ぶれ補正ユニット３８の構成について、図２〜図４を用いて説明する。
【００２１】
図２は、実施の形態に係るレンズ保持枠４０及び像ぶれ補正ユニット３８の構成概要を示す部分断面図である。図３は、実施の形態に係る像ぶれ補正ユニット３８におけるヨーク７５ａ等の構成要素の配置例を示す平面図（光軸Ａの方向から見た場合の図）である。図４は、実施の形態に係るレンズ保持枠４０の外観を示す斜視図である。なお、図３では、マグネット７０ａ及びヨーク７５ａ等の構成要素の配置例を示すために、レンズ保持枠４０及び可動枠５０等の図示は省略されている。
【００２２】
図２に示すように、レンズ保持枠４０は、レンズ３０ｄ及び３０ｅを保持する第一保持枠４１と、レンズ３０ｄ及び３０ｅの像面側に配置され、レンズ３０ｄ及び３０ｅよりも外径が小さなレンズ３０ｆを保持する第二保持枠４２とを有する。なお、レンズ３０ｄ及び３０ｅのそれぞれは、第一レンズの一例であり、レンズ３０ｆは第二レンズの一例である。レンズ保持枠４０はさらに、第一保持枠４１及び第二保持枠４２の外周を覆うように配置された壁部４４を有している。
【００２３】
また、本実施の形態に係る像ぶれ補正ユニット３８は、レンズ３０ｇ、可動枠５０、マグネット７０ａ及び７０ｂ、コイル６５、磁気センサ６０、並びに、ヨーク７５ａ及び７５ｂを有している。
【００２４】
具体的には、第二保持枠４２に保持されたレンズ３０ｆの像面側に、像ぶれ補正レンズであるレンズ３０ｇが配置されており、レンズ３０ｇは、可動枠５０によって、光軸Ａに垂直な方向に移動自在に保持されている。また、レンズ保持枠４０の、可動枠５０に取り付けられたマグネット７０ａに対向する位置に、磁気センサ６０が配置されている。さらに、レンズ保持枠４０の、磁気センサ６０を挟んでマグネット７０ａの反対側にヨーク７５ａが配置されている。
【００２５】
また、可動枠５０の移動を駆動するコイル６５は、レンズ保持枠４０の、可動枠５０に取り付けられたマグネット７０ｂに対向する位置に配置されており、コイル６５とレンズ保持枠４０との間にヨーク７５ｂが配置されている。
【００２６】
このように、像ぶれ補正ユニット３８は、コイル６５及び磁気センサ６０等が配置されたレンズ保持枠４０をベースとして構成されており、例えば、磁気センサ６０の検出結果に基づいて、コイル６５に流れる電流が調整され、これにより可動枠５０が移動する。
【００２７】
具体的には、可動枠５０とレンズ保持枠４０との間には、例えば複数のベアリング（図示せず）が配置されており、これらベアリングが回転することで、可動枠５０は、レンズ保持枠４０に対して、光軸Ａに垂直な方向に移動する。つまり、可動枠５０は、例えばボール支持方式と呼ばれる方式でレンズ保持枠４０に支持されており、図２におけるＺＹ平面に平行な方向に移動する。
【００２８】
より詳細には、図３に示すように、レンズ３０ｇを光軸Ａの方向から見た場合に、コイル６５及び６６がレンズ３０ｇの周方向に沿って配置されており、これらコイル６５及び６６に対して光軸Ａの方向で対向する位置にマグネット７０ｂ及び７０ｃが配置されている。さらに、コイル６５を挟んでマグネット７０ｂの反対側にヨーク７５ｂが配置されており、コイル６６を挟んでマグネット７０ｃの反対側にヨーク７５ｃが配置されている。
【００２９】
また、像ぶれ補正ユニット３８は、２つの磁気センサ６０及び６１を有しており、これら磁気センサ６０及び６１それぞれに対して光軸Ａの方向で対向する位置にマグネット７０ａが配置されている。さらに、磁気センサ６０及び６１を挟んで、２つのマグネット７０ａの反対側にヨーク７５ａが配置されている。
【００３０】
なお、マグネット７０ａ、７０ｂ、及び７０ｃは、可動枠５０に固定されており、ヨーク７５ａ、７５ｂ、及び７５は、レンズ保持枠４０に固定されている。この構成により、可動枠５０は、対向するマグネット及びヨーク間で生じる吸引力によってレンズ保持枠４０の方向に引っ張られ、光軸Ａの方向（図３におけるＸ軸方向）の移動が規制される。また、可動枠５０は、レンズ保持枠４０に対して、光軸Ａに垂直な平面（図３におけるＺＹ平面）内での移動の自由度を持つ。さらに、可動枠５０とレンズ保持枠４０との間には複数のベアリングが介在しているため、スムーズな移動が可能である。
【００３１】
このように構成された像ぶれ補正ユニット３８では、２つの磁気センサ６０及び６１によって、例えば可動枠５０のＺＹ平面内での変位（移動量）が検出される。この検出の結果に応じて、コイル６５及び６６それぞれに流される電流量が制御され、これにより、可動枠５０はＺＹ平面内で移動する。このようにして、光学的な像ぶれ補正が行われる。
【００３２】
ここで、本実施の形態において、磁気センサ６０を挟んでマグネット７０ａの反対側に配置されたヨーク７５ａは、光軸Ａの方向から見た場合に、少なくとも一部が第一保持枠４１に重複する位置に配置されている。
【００３３】
本実施の形態では、具体的には、図２に示すように、ヨーク７５ａの内側の端部は、第一保持枠４１の外周面から距離Ｌ１だけ光軸Ａに近い位置に配置されている。
【００３４】
より詳細には、ヨーク７５ａの内側の端部は、第一保持枠４１が保持する複数のレンズ（３０ｄ及び３０ｅ）のうちの最も外径が大きなレンズ３０ｄの外周面から距離Ｌ２だけ光軸Ａに近い位置に配置されている。
【００３５】
このように、本実施の形態では、ヨーク７５ａは、レンズ保持枠４０において比較的に光軸Ａに近い位置に配置されている。
【００３６】
また、レンズ保持枠４０は、図２に示すように、第二保持枠４２から外径方向（光軸Ａに直交し、かつ、外向きの方向）に延設された外延部４３を有しており、磁気センサ６０は、外延部４３の像面側に固定されている。さらに外延部４３の、磁気センサ６０と反対側にはヨーク７５ａが固定されている。
【００３７】
つまり、外延部４３の被写体側には、ヨーク７５ａを収容するヨーク収容空間４６が形成されている。ヨーク収容空間４６は、光軸Ａの方向から見た場合に、少なくとも一部が第一保持枠４１に重複する位置に配置されている。言い換えると、ヨーク収容空間４６の一部は、第一保持枠４１の外周面から内側に凹んだ部分の内面で形成されている。
【００３８】
そのため、被写体側からレンズ保持枠４０を見た場合に、ヨーク収容空間４６の一部は、第一保持枠４１に隠されて見えない。このような位置にヨーク７５ａを配置しやすくするために、本実施の形態では、図２及び図４に示すように、壁部４４の、ヨーク７５ａの側方の位置に、ヨーク７５ａの挿通が可能な大きさの開口部４５が形成されている。つまり、レンズ鏡筒１０を製造する場合において、レンズ保持枠４０にヨーク７５ａを配置する際に、ヨーク７５ａは、開口部４５から挿入される。
【００３９】
また、本実施の形態に係るレンズ鏡筒１０では、例えば、小型かつ高性能を実現するために、１つのレンズ保持枠４０に対し、２枚のレンズ（３０ｄ及び３０ｅ）が固定されている。この場合、レンズ３０ｄ及び３０ｅそれぞれの位置調整が必要であるが、例えば、外部に露出しないレンズ３０ｅの位置調整のためには、壁部４４に貫通孔を設ける必要が生じる。
【００４０】
そこで、本実施の形態では、図４に示すように、レンズ保持枠４０が有するカムピン４７の位置と、レンズ３０ｅの位置調整用の貫通孔４８の位置とを、レンズ保持枠４０の周方向において略一致させている。これにより、カムピン４７及び貫通孔４８を１つの金型で形成することができる。すなわち、レンズ保持枠４０を成型するための金型の複雑化が抑制される。
【００４１】
［３．効果等］
以上説明したように、本実施の形態に係るレンズ鏡筒１０は、第一レンズであるレンズ３０ｄ及び３０ｅと、第一レンズの像面側に配置され、第一レンズよりも外径が小さな第二レンズであるレンズ３０ｆと、第一レンズを保持する第一保持枠４１、及び、第二レンズを保持する第二保持枠４２を有するレンズ保持枠４０と、第二レンズの像面側に配置された像ぶれ補正レンズであるレンズ３０ｇを、光軸Ａに垂直な方向に移動自在に保持する可動枠５０と、レンズ保持枠４０の、可動枠５０に取り付けられたマグネット７０ａに対向する位置に配置された磁気センサ６０と、レンズ保持枠４０の、磁気センサ６０を挟んでマグネット７０ａの反対側に配置されたヨーク７５ａとを備える。ヨーク７５ａは、光軸Ａの方向から見た場合に、少なくとも一部が第一保持枠４１に重複する位置に配置されている。
【００４２】
この構成によれば、例えば、比較的に外径の大きな第一レンズ（本実施の形態ではレンズ３０ｄ及び３０ｅのそれぞれ）を保持する第一保持枠４１の外周面よりも内側の位置までヨーク７５ａの一部が進出した状態で配置される。これにより、例えば、レンズ保持枠４０の小型化が可能となる。
【００４３】
ここで、レンズ鏡筒が備えられるコンパクトカメラは、小型で持ち運びしやすいサイズが求められる。その一方で、コンパクトカメラの高性能化のために、絞り値（Ｆ値）の大きさが求められており、かつ、像ぶれ補正のためのセンササイズも大型化してきている。近年では、このようなカメラの光学性能を確保するため、レンズ鏡筒が有するレンズの外径が大型化する傾向にある。
【００４４】
また、コンパクトカメラが備える像ぶれ補正機構には、像ぶれ補正レンズを保持する可動枠の支持方式としてボール支持方式が多く用いられ、この方式では、可動枠の光軸方向の位置を規制する構成が必要となる。この可動枠の位置規制の方法としては、バネでの付勢、及びヨークを用いた磁気吸引方式等があるが、平面方向に大きなスペースを必要としない磁気吸引方式が、小型化のためには有効な手段であるといえる。
【００４５】
しかしながら、磁気吸引方式を採用する場合、例えば、光軸方向から見た場合に磁気センサと重なる位置に配置すべきヨーク（磁気センサに対応するヨーク）を、磁気センサと同方向から設置しようとすると、磁気センサの位置決めができなくなる。例えば、本実施の形態において、外延部４３（図２参照）の像面側にヨーク７５ａを配置し、さらに、ヨーク７５ａの像面側に磁気センサ６０を配置する場合を想定する。この場合、磁気センサ６０をレンズ保持枠４０に対して精度よく位置決めすることは実質的に不可能である。
【００４６】
そこで、像ぶれ補正機構に磁気吸引方式を採用する場合、像ぶれ補正機構のベースとなる保持枠（本実施の形態ではレンズ保持枠４０）に対し、磁気センサとは反対側（すなわち被写体側）からヨークを設置する必要がある。
【００４７】
この構成において、像ぶれ補正機構のベースとなる保持枠に外径の大きいレンズを保持させる場合、光軸方向から見た場合における当該レンズの外側（より具体的には当該レンズを保持する枠の外側）に、磁気センサに対応するヨークが配置されるため、レンズ鏡筒の外径が大きくなる。
【００４８】
そこで、本実施の形態に係るレンズ鏡筒１０では、上述のように、光軸Ａの方向から見た場合において、ヨーク７５ａの少なくとも一部が第一保持枠４１とオーバーラップする位置に、ヨーク７５ａを配置する。これにより、第一保持枠４１が保持するレンズ３０ｄまたは３０ｅが大型化した場合であっても、少なくとも第一保持枠４１の径方向の厚みを利用して、ヨーク７５ａを光軸Ａに比較的に近い位置に配置することができる。その結果、レンズ鏡筒１０の小型化が図られる。
【００４９】
また、像ぶれ補正レンズであるレンズ３０ｇ及びレンズ３０ｇを保持する可動枠５０は、像ぶれ補正機能の向上（例えば応答速度の速さ）のために軽量化が要求され、この要求に応えるためには、例えば小型化の必要が生じる。レンズ３０ｇ及び可動枠５０を小型化した場合、可動枠５０に配置されるマグネット７０ａの位置は光軸Ａに近づく。従って、ヨーク７５ａを、光軸Ａに比較的に近い位置に配置できることは、レンズ３０ｇ及び可動枠５０の小型化、すなわち、像ぶれ補正機能の向上の観点からも有利である。
【００５０】
また、本実施の形態に係るレンズ鏡筒１０において、ヨーク７５ａは、光軸Ａの方向から見た場合に、少なくとも一部が、第一レンズ（本実施の形態ではレンズ３０ｄ）と重複する位置に配置されている。
【００５１】
この構成によれば、光軸Ａの方向から見た場合に、第一保持枠４１が保持する複数のレンズ（３０ｄ及び３０ｅ）のうちの最も外径が大きなレンズ３０ｄの外周面よりも内側に、ヨーク７５ａの少なくとも一部が配置される。つまり、本実施の形態では、ヨーク７５ａの一部は、光軸Ａの方向から見た場合、第一保持枠４１の、レンズ３０ｄを保持する部分の肉厚（径方向の厚み）を越えて内側に配置される。これにより、例えば、可動枠５０及びレンズ３０ｇの更なる小型化（軽量化）が可能となる。
【００５２】
また、本実施の形態に係るレンズ鏡筒１０において、磁気センサ６０は、第二保持枠４２から外径方向に延設された外延部４３の像面側に固定されている。また、ヨーク７５ａは、外延部４３の被写体側に形成されたヨーク収容空間４６であって、光軸Ａの方向から見た場合に、少なくとも一部が第一保持枠４１に重複するヨーク収容空間４６の内部に配置されている。
【００５３】
この構成によれば、ヨーク収容空間４６の一部は、例えば図２に示すように、第一保持枠４１の外周面から内側に凹んだ部分の内面で形成されている。つまり、レンズ保持枠４０では、第一保持枠４１の外周面に、ヨーク７５ａの一部が挿入される凹部が形成されている、と表現することもできる。これにより、例えば、ヨーク７５ａのレンズ保持枠４０への位置決めが容易化される。
【００５４】
また、本実施の形態に係るレンズ鏡筒１０において、レンズ保持枠４０は、第一保持枠４１及び第二保持枠４２の外周を覆うように配置された壁部４４の、ヨークの側方の位置に設けられた、ヨーク７５ａの挿通が可能な大きさの開口部４５を有する。
【００５５】
この構成によれば、レンズ鏡筒１０の製造工程（組み立て工程）において、レンズ保持枠４０にヨーク７５ａを配置する際に、ヨーク７５ａを、ヨーク７５ａの側方に位置する開口部４５から挿入することができる。つまり、上述のように、少なくとも一部が第一保持枠４１とオーバーラップする位置に配置されるヨーク７５ａを、第一保持枠４１の存在に阻害されることなく、規定の場所に容易に配置することができる。
【００５６】
（他の実施の形態）
以上のように、本開示における技術の例示として、上記の実施の形態を説明した。しかしながら、本開示における技術は、これらに限定されず、適宜、変更、置換、付加、省略などを行った実施の形態にも適用可能である。また、上記実施の形態及び以下に説明する各構成要素を組み合わせて、新たな実施の形態とすることも可能である。
【００５７】
例えば、レンズ鏡筒１０が備えるレンズの数は、特定の数には限定されない。例えばレンズ保持枠４０は、２つのレンズ（３０ｄ及び３０ｅ）を備えているが、レンズ保持枠４０は、１つのレンズのみを保持していてもよい。
【００５８】
また、レンズ鏡筒１０は、基礎筒２１に対し、２つの筒体（第一筒２２及び第二筒２３）が光軸Ａの方向に移動することで、光軸Ａの方向の全長を伸縮させるとした。しかし、レンズ鏡筒１０は、基礎筒２１に対して１つまたは３以上の筒体が移動することで全長を伸縮させてもよい。
【００５９】
また、レンズ保持枠４０は、ヨーク７５ａを側方から挿入するための開口部４５を有しなくてもよい。この場合あっても、例えば、図２において、ヨーク収容空間４６の被写体側の開口（Ｘ軸方向マイナス側の開口）から、ヨーク７５ａをヨーク収容空間４６内に配置することができる。つまり、光軸Ａの方向から見た場合において、ヨーク７５ａの少なくとも一部を、第一保持枠４１またはレンズ３０ｄと重複させる位置に、ヨーク７５ａを配置することは可能である。
【００６０】
また、ヨーク７５ａは、図２に示すように、光軸Ａに垂直する平面（図２におけるＹＺ平面）に平行な姿勢で、レンズ保持枠４０に配置されているが、ヨーク７５ａの姿勢はこれに限定されない。例えば、ヨーク７５ａは、光軸Ａに垂直な平面に対して傾いた姿勢（つまり、外延部４３（図２参照）の、被写体側の面に対して傾いた姿勢）で配置されてもよい。この場合であっても、光軸Ａの方向から見た場合において、ヨーク７５ａの少なくとも一部を、第一保持枠４１またはレンズ３０ｄと重複させる位置に、ヨーク７５ａを配置することは可能である。
【００６１】
また、本実施の形態において、例えばヨーク７５ａは、図２及び図４に示すように平板状であるが、ヨーク７５ａは、例えば直方体または球体等の、一般に平板状とは認識されない形状であってもよい。
【００６２】
また、レンズ鏡筒１０が備えられる撮像装置の種類に特に限定はなく、例えば、動画を撮像するビデオカメラに備えられてもよい。また、例えば、スマートフォン等の携帯端末が備えるレンズ鏡筒に、本実施の形態に係るレンズ鏡筒１０の構造を適用することで、携帯端末の小型化を図ることも可能である。
【００６３】
以上のように、本開示における技術の例示として、実施の形態を説明した。そのために、添付図面および詳細な説明を提供した。
【００６４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６５】
また、上述の実施の形態は、本開示における技術を例示するためのものであるから、特許請求の範囲またはその均等の範囲において種々の変更、置き換え、付加、省略などを行うことができる。
【産業上の利用可能性】
【００６６】
本開示は、デジタルカメラ、ビデオカメラ、または、携帯端末に備えられるレンズ鏡筒等に適用可能である。
【符号の説明】
【００６７】
１０  レンズ鏡筒
１５  カム枠
２１  基礎筒
２２  第一筒
２３  第二筒
３０ａ、３０ｂ、３０ｃ、３０ｄ、３０ｅ、３０ｆ、３０ｇ、３０ｈ、３０ｋ  レンズ
３８  補正ユニット
４０  レンズ保持枠
４１  第一保持枠
４２  第二保持枠
４３  外延部
４４  壁部
４５  開口部
４６  ヨーク収容空間
４７  カムピン
４８  貫通孔
５０  可動枠
６０  磁気センサ
６５、６６  コイル
７０ａ、７０ｂ、７０ｃ  マグネット
７５ａ、７５ｂ、７５ｃ  ヨーク
８０  シャッターユニット
８５  駆動部
９０  撮像素子
【図１】
2018066915.tif 000003
【図２】
2018066915.tif 000004
【図３】
2018066915.tif 000005
【図４】
2018066915.tif 000006